(57)【要約】      （修正有）【課題】特に容器の底部に取り付け、衝突による衝撃や倒れを防止するための容器用保護カバーを提供する。【解決手段】本発明に係る容器用保護カバー１０は、支持部１１及び保持部１２を有し、その内、該支持部は、弾性を備える材質からなり、環体を呈し、外周縁から中心に行くにつれて斜め上方へ延出し、内周縁が外周縁に対して上方位置となると共に、外周面から内周面にかけての底面と底部の平面との間に０度より大きい角度αを有し、また、該保持部は、弾性を備える材質からなり、円環状の壁であり、支持部の外周縁から上方に向かって延設されるものを提供する。【選択図】図１
2016130134.tif 000002
【特許請求の範囲】
【請求項１】
弾性を備える材質からなり、環体を呈し、外周縁から中心に行くにつれて斜め上方へ延出し、内周縁が外周縁に対して上方位置となると共に、外周面から内周面にかけての底面と底部の平面との間に０度より大きい角度αを有する支持部と、
弾性を備える材質からなり、円環状の壁であり、支持部の外周縁から上方に向かって延設される保持部と、を有することを特徴とする、
容器用保護カバー。
【請求項２】
前記保持部の下部に連接部が延設され、該連接部は、支持部の外周面と連結され、上縁部の内径が下縁部の内径より小さいと共に、外周面が弧状を呈することを特徴とする請求項１に記載の容器用保護カバー。
【請求項３】
前記支持部の厚みが外周縁から内周縁につれて薄くなることを特徴とする請求項２に記載の容器用保護カバー。
【請求項４】
前記支持部及び保持部がシリコンからなることを特徴とする請求項３に記載の容器用保護カバー。
【請求項５】
前記支持部の内周縁に複数のスリットが間隔をおいて径方向かつ放射状に形成され、また、隣り合う２本のスリットの間に爪部が設けられることを特徴とする請求項１乃至４の何れか１項に記載の容器用保護カバー。
【請求項６】
前記保持部は中空状の円筒体であり、その上縁部の内径は下縁部の内径より大きく、且つ上方へ行くにつれて大きくなり、外周面は弧状を呈することを特徴とする請求項１に記載の容器用保護カバー。
【請求項７】
前記支持部の厚みが外周縁から内周縁につれて薄くなることを特徴とする請求項６に記載の容器用保護カバー。
【請求項８】
前記支持部及び保持部がシリコンからなることを特徴とする請求項６または７に記載の容器用保護カバー。
【発明の詳細な説明】
【技術分野】
【０００１】
本発明は特に、容器の底部に取り付けて、衝突や滑りによる倒れや落下を防止するための容器用保護カバーに関するものである。
【背景技術】
【０００２】
マグカップやボトル、水筒などの容器をテーブルに置いた時に、不注意により落下すると、容器が破損してしまう恐れがある。また、マグカップやボルトなどの容器をテーブルに置いている時に、手などが触れて倒れると、その容器内の液体がこぼれてしまい、片付けが非常に面倒であった。
【０００３】
その問題を解決するために、マグカップやボトル、水筒などの容器に蓋により開口をカバーして、容器内の液体がこぼれないようにするが、その蓋をカバーしなくて開口が開いている時には、容器が不注意により落下しても、液体がこぼれてしまい、その蓋の効果を失ってしまう。
【先行技術文献】
【特許文献】
【０００４】
【特許文献１】台湾実用新案第Ｍ２７２４６７号
【特許文献２】台湾実用新案第Ｍ２７６５１７号
【特許文献３】台湾実用新案第Ｍ４６００５４号
【発明の概要】
【発明が解決しようとする課題】
【０００５】
前記既存の容器は、底部をカバーして保護する構造を有さず、不注意により落下すると、容器の底部が床に衝突して破損してしまう恐れがあると共に、容器の開口が開いている場合、不注意で倒れると、内部の液体がこぼれてしまい、片付けが面倒であるという問題があった。
【課題を解決するための手段】
【０００６】
上述した問題を解決するために、本発明の容器用保護カバーは、弾性を備える材質からなり、環体を呈し、外周縁から中心に行くにつれて斜め上方へ延出し、内周縁が外周縁に対して上方位置となると共に、外周面から内周面にかけての底面と底部の平面との間に０度より大きい角度αを有する支持部と、弾性を備える材質からなり、円環状の壁であり、支持部の外周縁から上方に向かって延設される保持部と、を有するものである。
【０００７】
かかる容器用保護カバーにおいて、前記保持部の下部に連接部が延設され、該連接部は、支持部の外周面と連結され、上縁部の内径が下縁部の内径より小さいと共に、外周面が弧状を呈することが好ましい。
【０００８】
かかる容器用保護カバーにおいて、前記支持部の厚みが外周縁から内周縁につれて薄くなることが好ましい。
【０００９】
かかる容器用保護カバーにおいて、前記支持部及び保持部がシリコンからなることが好ましい。
【００１０】
かかる容器用保護カバーにおいて、前記支持部の内周縁に複数のスリットが間隔をおいて径方向かつ放射状に形成され、また、隣り合う２本のスリットの間に爪部が設けられることが好ましい。
【００１１】
かかる容器用保護カバーにおいて、前記保持部は中空状の円筒体であり、その上縁部の内径は下縁部の内径より大きく、且つ上方へ行くにつれて大きくなり、外周面は弧状を呈することが好ましい。
【発明の効果】
【００１２】
本発明に係る容器用保護カバーは、前記の構造を有することから、以下に示すようなメリットを有する。
１．本発明に係る容器用保護カバーは、弾性を備える材質からなることから、その容器の底部に装着すると、容器が不注意で落下しても、その弾性の材質により底部を落下の衝撃から守ると共に、連接部と容器との間の隙間により容器の底部が直に衝突しないようにするので、容器の底部が激しくぶつかっても破損することはない。
【００１３】
２．本発明に係る容器用保護カバーを裏表逆にして使用する場合には、その容器の底部に容器用保護カバーを嵌め込むと、容器の底部の外周面が保持部の内周面にぴったりと貼り付く。そして更に、容器をやや下方へ押圧しながら、容器の底面と、支持部と、連接部の内周面と、テーブルとの間にある空気を押し出すことによって、容器とテーブルとの間の空間が真空状態となることから、支持部の底部がテーブルにぴったりと貼り付けられ、容器が容器用保護カバーを介してテーブルに吸着されるので、倒れることはない。
【００１４】
３．その容器用保護カバーを裏表逆にすると、支え部のスリットにより、それらの爪部をそれぞれ支え部の径方向に向かって延出すると共に、それらの爪部がそれぞれ放射状かつ環状に排列されるので、テーブルに貼り付けてしっかりと吸着させることができる。
【００１５】
４．本発明に係る容器用保護カバーの保持部が中空状の環体を呈し、上縁部の内径が下縁部の内径より大きいと共に、内径が上方へ行くにつれて大きくなることから、茶碗などの容器に容器用保護カバーを嵌めると、容器の底部の外周面が保持部の内周面にぴったりと貼り付けられるので、容器が容器用保護カバーから脱出することはない。
【図面の簡単な説明】
【００１６】
【図１】本発明に係る容器用保護カバーの第一実施例の斜視図である。
【図２Ａ】本発明に係る容器用保護カバーの第一実施例の断面図である。
【図２Ｂ】図２Ａの部分拡大断面図である。
【図３】本発明の第一実施例において、容器用保護カバーを容器の底部に装着した状態を示す斜視図である。
【図４】本発明の第一実施例において、容器用保護カバーを容器の底部に装着した状態を示す部分断面図である。
【図５】本発明の第一実施例において、容器用保護カバーを裏表逆にした他の使用方法を示す断面図である。
【図６】本発明の第一実施例において、容器用保護カバーを裏表逆にした他の使用方法を示す斜視図である。
【図７】本発明の第一実施例において、容器用保護カバーを裏表逆にした他の使用方法を示す部分断面図である。
【図８】本発明に係る容器用保護カバーの第二実施例の斜視図である。
【図９】本発明の第二実施例において、容器用保護カバーを裏表逆にした他の使用方法を示す斜視図である。
【図１０】本発明の第二実施例において、容器用保護カバーを裏表逆にして容器の底部に装着した状態を示す斜視図である。
【図１１】本発明に係る容器用保護カバーの第三実施例の斜視図である。
【発明を実施するための形態】
【００１７】
以下、添付図面を参照して本発明の適切な実施の形態を詳細に説明する。
【００１８】
図１乃至図３に示すように、本発明に係る容器用保護カバー１０は、支持部１１及び保持部１２を有する。
該支持部１１は、弾性を備える材質からなり、環体を呈し、外周縁から中心に行くにつれて斜め上方へ延出し、すなわち、内周縁が外周縁に対して上方位置となると共に、外周面から内周面にかけての底面と底部の平面との間に０度より大きい角度αを有する（図２Ｂの如く）。尚、その支持部１１は、シリコーンなどの弾力を備える材質からなる円環体であり、外周縁から内周縁につれて厚みが薄くなることが好ましい。
【００１９】
前記保持部１２は、シリコンなどの弾性を備える材質からなり、前記支持部１１の外周縁から上方に向かって延設され、その上部に同一の内径を有する円環状の壁であり、下部に連接部１２１が中心に向かって延設される。また、前記連接部１２１は、円環状の壁の下側から延出して支持部１１の外周面と連結され、その上縁部の内径がやや下縁部の内径より小さいと共に、内周面及び外周面が弧状に設けられる。尚、前記保持部１２は支持部１１と一体成形とすることが好ましい。
【００２０】
図３及び図４に示すように、本発明に係る容器用保護カバー１０の第一実施例においては、使用時に、容器用保護カバー１０を容器２０の底部に環装し、支持部１１を容器２０の底部の周縁近傍に貼り付けると共に、保持部１２の上部を容器２０の外周面にぴったりと貼り付け、そして、該保持部１２の連接部１２１における、上縁部の内径を下縁部の内径より小さい設計にすると共に、外周面を弧状に形成することにより、連接部１２１の内周面と容器２０の底部周縁との間に隙間を構成する。
この構成によれば、容器用保護カバー１０は弾性の材質からなることから、その容器２０が不注意で落下したとしても、容器２０の底部を落下時の衝撃から守ると共に、連接部１２１と容器２０との間に設けられた隙間により容器２０の底部が直接に衝撃を受けないようにすることから、容器２０の底部が激しくぶつかっても破損することはない。
【００２１】
図５乃至図７に示すように、本発明に係る容器用保護カバー１０の第一実施例においては他の使用方法を採用している。即ち、容器用保護カバー１０の支持部１１及び保持部１２を裏表逆にして、支持部１１を保持部１２の下側から外周縁の周囲に向かって延出させる。これにより、支持部１１の内周縁の位置が外周縁の位置より高くなると共に、連接部１２１の上縁部の内径が下縁部より大きくなり、すなわち、環体を呈する連接部１２１の内径が上方へ行くにつれて大きくなる。
【００２２】
また、その他の使用方法として、容器２０の底部から容器用保護カバー１０を嵌め込み、容器２０の底部の外周面を保持部１２の内周面にぴったりと貼り付ける。この時、連接部１２１の上縁部が下縁部より広いことから、容器２０の底部が連接部１２１の下縁部に嵌め込まれ、そして、容器２０をやや下方へ押圧しながら、容器２０の底面と、支持部１１と、連接部１２１の内周面と、テーブルとの間にある空気を押し出すことによって、その容器２０とテーブルとの間の空間が真空状態となり、支持部１１の底部がテーブルにぴったりと貼り付けられるので、容器２０を、容器用保護カバー１０を介してテーブルにしっかりと吸着させることができる。
この構成によれば、容器２０に不注意でぶつかったとしても、支持部１１の底部が真空状態による吸着力によってテーブルにしっかりと貼り付けられ、容器２０を位置決めすることができる。また、その容器用保護カバー１０における支持部１１及び保持部１２は、弾性を備える材質からなることから、容器２０が倒れた時の衝撃を吸収できるので、容器２０の破損を防止することができる。
【００２３】
図８に示すように、本発明に係る容器用保護カバー１０Ａの第二実施例は、殆ど第一実施例と同一であるが、支持部１１Ａの径方向の長さが第一実施例より長いと共に、支持部１１Ａの内周縁に複数のスリット１１１が間隔をおいて径方向かつ放射状に形成され、また、隣り合う２本のスリット１１１の間に爪部１１２が設けられる点において異なる。
【００２４】
図９及び図１０に示すように、本実施例の操作方法は、殆ど第一実施例と同一であるが、以下の点において異なる。即ち、本実施例における容器用保護カバー１０の支持部１１Ａ及び保持部１２を裏表逆にして、支持部１１Ａのスリット１１１により爪部１１２をそれぞれ支持部１１Ａの周囲から径方向に向かって放射状に延出させる。これによれば、支持部１１Ａの爪部１１２がそれぞれ環状に排列された歯となり、また、それらの歯によって、テーブルに貼り付いてしっかりと吸着させることができる。
【００２５】
図１１に示すように、本発明に係る容器用保護カバー１０Ｂの第三実施例は、殆ど第一実施例と同一であるが、保持部１２Ｂが中空状の円筒体を呈する点において異なり、該保持部１２Ｂは、上縁部の内径が下縁部の内径より大きいと共に、内径が上方へ行くにつれて大きくなる円筒体である。また、本実施例を使用する時は、茶碗などの容器に容器用保護カバー１０Ｂを嵌め込むと、容器の底部近傍の外周面が保持部１２Ｂの内周面にぴったりと貼り付くので、容器をカバーして保護することができる。
【符号の説明】
【００２６】
１０、１０Ａ、１０Ｂ  容器用保護カバー
１１、１１Ａ、１１Ｂ  支持部
１１１  スリット
１１２  爪部
１２、１２Ａ、１２Ｂ  保持部
１２１  連接部
２０  容器
α  角度
【図１】
2016130134.tif 000003
【図２Ａ】
2016130134.tif 000004
【図２Ｂ】
2016130134.tif 000005
【図３】
2016130134.tif 000006
【図４】
2016130134.tif 000007
【図５】
2016130134.tif 000008
【図６】
2016130134.tif 000009
【図７】
2016130134.tif 000010
【図８】
2016130134.tif 000011
【図９】
2016130134.tif 000012
【図１０】
2016130134.tif 000013
【図１１】
2016130134.tif 000014